(57)【要約】      （修正有）【課題】好都合に着用されるように構成した上部のない靴を提供する。【解決手段】正立外周リム１０８の外周の少なくとも一部に沿って、１つまたは複数の足の固定領域１１０ａを有するリムによって画定される凹型本体を備える靴１００であって、１つまたは複数の足の固定領域は、通常内方に突出しており、その結果、靴が摩耗したときに足を凹型本体内に固定し、１つまたは複数の足の固定領域は、１つまたは複数の足の固定領域が足を受領するために外方に押されることが可能な弾性を有する。【選択図】図１
0003196278.tif 000002
【実用新案登録請求の範囲】
【請求項１】
正立外周リムの外周の少なくとも一部に沿って、１つまたは複数の足の固定領域を有する前記リムによって画定される凹型本体を備える靴であって、
前記１つまたは複数の足の固定領域は、通常、内方に突出しており、その結果、前記靴が摩耗したときに足を前記凹型本体内に固定し、
前記１つまたは複数の足の固定領域は、前記１つまたは複数の足の固定領域が前記足を受領するために外方に押されることが可能な弾性を有する、靴。
【請求項２】
内方突出部は、前記リムの最内領域と最外領域との間に約０．１〜２センチメートルの垂直軸の差を有する、前記１つまたは複数の足の固定領域を備える、請求項１に記載の靴。
【請求項３】
前記１つまたは複数の足の固定領域は、前記リムの前記外周の少なくとも５０％に沿って延在する、請求項２に記載の靴。
【請求項４】
前記１つまたは複数の足の固定領域は、前記リムの前記外周の少なくとも７０％に沿って延在する、請求項３に記載の靴。
【請求項５】
前記１つまたは複数の足の固定領域は、前記リムの前記外周の少なくとも９０％に沿って延在する、請求項４に記載の靴。
【請求項６】
前記凹型本体は単一片の材料からなる、請求項１に記載の靴。
【請求項７】
前記凹型本体は、
内底として働く第１の層と、
前記第１の層の外表面上に配置される第２の層と
を備える、請求項１に記載の靴。
【請求項８】
前記第２の層は外底として働く、請求項７に記載の靴。
【請求項９】
前記第２の層は中底として働き、前記靴は、外底として働き前記第２の層の外表面上に配置される第３の層をさらに備える、請求項７に記載の靴。
【請求項１０】
前記第１の層は少なくとも一部がシリコーンで作成される、請求項７〜９のいずれか１項に記載の靴。
【請求項１１】
前記第１の層は、少なくとも一部が発泡ポリエチレンで作成される、請求項７〜９のいずれか１項に記載の靴。
【請求項１２】
前記第２の層は、少なくとも一部がアクリロニトリル・ブタジエン・スチレン（ＡＢＳ）で作成される、請求項７、および９〜１１のいずれか１項に記載の靴。
【請求項１３】
前記第３の層は、少なくとも一部がシリコーンで作成される、請求項９〜１２のいずれか１項に記載の靴。
【請求項１４】
前記第３の層は、少なくとも一部が高密度ポリウレタンで作成される、請求項９〜１２のいずれか１項に記載の靴。
【請求項１５】
靴底形状表面の外周の少なくとも５０％に沿って、１つまたは複数の弾性ポリマーの足の固定領域を有する前記靴底形状表面を備える靴であって、
前記１つまたは複数の足の固定領域のそれぞれは内方に突出しており、その結果、前記１つまたは複数の足の固定領域の前記それぞれの最内領域と最外領域との間に、約０．１〜２センチメートルの垂直軸の差が存在し、
前記１つまたは複数の足の固定領域は、前記足を受領するときに外方に押されるように構成される、靴。
【請求項１６】
前記１つまたは複数の足の固定領域は、前記靴底形状表面の前記外周の少なくとも７０％に沿って延在する、請求項１５に記載の靴。
【請求項１７】
前記１つまたは複数の足の固定領域は、前記靴底形状表面の前記外周の少なくとも９０％に沿って延在する、請求項１６に記載の靴。
【請求項１８】
前記靴底形状表面および前記１つまたは複数の足の固定領域は、一体形成され、単一片の材料からなる、請求項１５に記載の靴。
【請求項１９】
前記靴底形状表面および前記１つまたは複数の足の固定領域のそれぞれは、シリコーン、発泡ポリエチレン、アクリロニトリル・ブタジエン・スチレン（ＡＢＳ）および高密度ポリウレタンからなる群から選択された、少なくとも１つのポリマー材料から作成される、請求項１５〜１８のいずれか１項に記載の靴。
【考案の詳細な説明】
【技術分野】
【０００１】
本考案は、好都合に着用されるように構成された上部のない靴に関する。
【背景技術】
【０００２】
ほとんどの履物製品の基本部分は、それらの特定のタイプに関係なく、靴底および上部である。靴底は、着用者の足が地面に直接、接触することから保護する一方で、上部は、足が地面から持ち上げられるときに足が靴に固定されることを保つ。「閉じた靴（ｃｌｏｓｅｄ  ｓｈｏｅｓ）」と呼ばれることが多いものでは、上部は足のかなりの部分を覆い、通常「ウェルト」と呼ばれる材料片によって靴底に接合される。場合によっては、ウェルトと上部は組み合わされる。ビーチサンダルまたはサンダルなどのいわゆる「開いた靴（ｏｐｅｎ  ｓｈｏｅｓ）」では、足またはその一部の上に上部から保持する最小構造のみが存在することが多い。様々なタイプの紐および革紐が一般的な例である。
【０００３】
「開いた靴」の極端な例は、一般に「貼り付け式サンダル」、「貼り付け式ビーチサンダル」などとして公知のものであり、靴底は接着力のみによって足に付着する。これらの靴底の上面は、比較的くつろいだ歩行条件下で足の裏に張り付いたままであるのに充分な接着性を表す。このようなサンダルのさらなる変形は、接着剤の代わりに様々な吸引要素を使用して足に張り付くタイプである。
【０００４】
中国の浙江大学の学生による最近の設計概念は、足の力を受けて分かれ、次いで足を包囲するために折り戻す弾性層（「筋（ｍｕｓｃｌｅ）」と呼ばれる）を備える靴を提案した。レッド・ドット・デザイン・ミュージアムの「Ｒｅｄ  Ｄｏｔ  Ｏｎｌｉｎｅ：Ｄｅｓｉｇｎ  Ｃｏｎｃｅｐｔ」、http://www.red-dot.sg/concept/porfolio/o_e/TA/B032.htmを参照されたい（２０１２年９月５日最終アクセス）。
【考案の概要】
【課題を解決するための手段】
【０００５】
一部の実施形態によれば、正立外周リムの外周の少なくとも一部に沿って、１つまたは複数の足の固定領域を有する該リムによって画定される凹型本体を備える靴であって、該１つまたは複数の足の固定領域は、通常、内方に突出しており、その結果、該靴が摩耗したときに足を該凹型本体内に固定し、該１つまたは複数の足の固定領域は、該１つまたは複数の足の固定領域が足を受領するために外方に押されることが可能な弾性を有する、靴が提供される。
【０００６】
一部の実施形態では、内方突出部は、該リムの最内領域と最外領域との間に約０．１〜２センチメートルの垂直軸の差を有する、該１つまたは複数の足の固定領域を備える。
【０００７】
一部の実施形態では、該１つまたは複数の足の固定領域は、該リムの外周の少なくとも５０％に沿って延在する。
【０００８】
一部の実施形態では、該１つまたは複数の足の固定領域は、該リムの外周の少なくとも７０％に沿って延在する。
【０００９】
一部の実施形態では、該凹型本体は単一片の材料からなる。
【００１０】
一部の実施形態では、該凹型本体は、内底として働く第１の層、および該第１の層の外表面上に配置される第２の層を備える。
【００１１】
一部の実施形態では、該第２の層は外底として働く。
【００１２】
一部の実施形態では、該第２の層は中底として働き、靴は、外底として働き、該第２の層の外表面上に配置される第３の層をさらに備える。
【００１３】
一部の実施形態では、該第１の層は少なくとも一部がシリコーンで作成される。
【００１４】
一部の実施形態では、該第１の層は、少なくとも一部が発泡ポリエチレンで作成される。
【００１５】
一部の実施形態では、該第２の層は、少なくとも一部がアクリロニトリル・ブタジエン・スチレン（ＡＢＳ）で作成される。
【００１６】
一部の実施形態では、該第３の層は、少なくとも一部がシリコーンで作成される。
【００１７】
一部の実施形態では、該第３の層は、少なくとも一部が高密度ポリウレタンで作成される。
【００１８】
一部の実施形態によれば、靴底形状表面の外周の少なくとも５０％に沿って、１つまたは複数の弾性ポリマーの足の固定領域を有する該靴底形状表面を備える靴であって、該１つまたは複数の足の固定領域のそれぞれは、内方に突出しており、その結果、該１つまたは複数の足の固定領域の該それぞれの最内領域と最外領域との間に、約０．１〜２センチメートルの垂直軸の差が存在し、該１つまたは複数の足の固定領域は、足を受領するときに外方に押されるように構成される、靴がさらに提供される。
【００１９】
一部の実施形態では、該１つまたは複数の足の固定領域は、該靴底形状表面の外周の少なくとも７０％に沿って延在する。
【００２０】
一部の実施形態では、該１つまたは複数の足の固定領域は、該靴底形状表面の外周の少なくとも９０％に沿って延在する。
【００２１】
一部の実施形態では、該靴底形状表面および該１つまたは複数の足の固定領域は、一体形成され、単一片の材料からなる。
【００２２】
一部の実施形態では、該靴底形状表面および該１つまたは複数の足の固定領域のそれぞれは、シリコーン、発泡ポリエチレン、アクリロニトリル・ブタジエン・スチレン（ＡＢＳ）および高密度ポリウレタンからなる群から選択された少なくとも１つのポリマー材料から作成される。
【００２３】
例示的実施形態は、参照図に示されている。図に示された構成部品および特徴の寸法は、概して提示の便宜上および明瞭性のために選ばれており、必ずしも一定の縮尺で示されていない。図を以下に一覧にする。
【図面の簡単な説明】
【００２４】
【図１】一部の実施形態による、靴の正面アイソメ図である。
【図２】一部の実施形態による、靴の背面アイソメ図である。
【図３】一部の実施形態による、靴の正面平面図である。
【図４】一部の実施形態による、靴の背面平面図である。
【図５】一部の実施形態による、靴の左面平面図である。
【図６】一部の実施形態による、靴の右面平面図である。
【図７】一部の実施形態による、靴の上面平面図である。
【図８】一部の実施形態による、靴の底面平面図である。
【図９】一部の実施形態による、靴の縦方向の断面図である。
【図１０】一部の実施形態による、靴の横方向の断面図である。
【考案を実施するための形態】
【００２５】
好都合に着用するように構成された上部のない靴が、本明細書に開示される。その一部の実施形態では、靴は基本的に、着用者の足を靴の内部に自然に固定するように構成された概ね靴底形状の凹型本体である。有利なことに、この固定は、足を保持するために上部からのいかなる実質的な構造もなしに達成される。その代わりに、凹型本体は、正立外周リムによって画定される靴底から構成される。リムは、わずかに内方に突出している１つまたは複数の領域（以下「足の固定領域」とする）を有し、その結果、構造的に最小だが、それにもかかわらず足を垂直軸に固定する有効手段を提供する。
【００２６】
靴は、通常、内方に突出した位置内にあるこれらの足の固定領域を備えて構築される一方で、靴を着用したときに足によりこれらの足の固定領域を外方に押すことができる、充分な弾性を依然として有する。典型的なシナリオでは、靴を着用しようとする人は、自身の足を靴の上に位置させ、靴本体の靴底形状にほぼ位置合わせし、次いで足を靴の中に単に押し下げてもよい。足を降下することにより靴の外周リムが係合されると、その足の固定領域は押し下げられ、基本的に外周リムを広げ、足が靴の凹形本体に入ることができる。足が足の固定領域を通過し、横に押してこれらの領域が低減すると、領域はそれらの通常の内方に突出した位置に戻る。最後に足の固定領域は、足が靴の凹形本体にほぼ完全に降下したときに、それらの通常の内方に突出した位置に達する。
【００２７】
人が歩き始め、足を地面から持ち上げるとき、通常、内方に突出した足の固定領域は、靴が足から落ちることを防ぐ。それでもこれらの足の固定領域の弾性により、歩行の際に自然に靴の上に掛かる通常の下方への力より強い力を加えることにより、自発的に靴を脱ぐことができる。これらの足の固定領域の弾性度は、この目的を達成するために注意深く設計されている。
【００２８】
次に図１および２を参照すると、図１および２はそれぞれ、例示的な上部のない靴（以下「靴」とする）１００の正面および背面からのアイソメ図を示す。また図３〜８を参照すると、図３〜８はそれぞれ、正面、背面、左面、右面、上面および底面からの靴１００の平面図を示し、ならびに図９および１０はそれぞれ、靴の縦方向（Ａ）の断面および横方向（Ｂ）の断面を示す。簡潔にするために、図は右の靴を示すが、当然ながら変更すべきところは変更して左の靴にも適用されることを意図する。
【００２９】
図に示したように、靴１００は、内底１０２として働く第１の層、中底１０４として働く第２の層、および外底１０６として働く第３の層の３層を含む。しかし異なる実施形態（図示せず）では、靴は単一層のみを含むが、図の実施形態の形状と同様の形状を有してもよい。さらなる実施形態（図示せず）では、靴は２層を含むが、図の実施形態の形状と同様の形状を有してもよい。さらに別の実施形態（図示せず）では、靴は４層以上を含むが、図の実施形態の形状と同様の形状を有してもよい。前記および以下の検討に基づいて、前述の図示されない実施形態のすべてが、異なる数の層および／または一部を備えて構築されるにもかかわらず、共通して複数の構成の態様を有することが当業者には理解されよう。例示的態様は、最小限のみ内方に突出する１つまたは複数の足の固定領域である。このような態様は、論じたように、足を保持するために上部からのいかなる実質的な構造もなしに、足を固定する能力などの、有利な性質をもつこれらの実施形態を付与する。
【００３０】
図に戻ると、内底１０２は、少なくとも靴底形状部分（または「表面」）１０６および凹形本体を画定する正立外周リム１０８から作成される、概ね靴底形状の凹形本体を有してもよい。リム１０８を、少なくともその高さの一部までをタブ１１２ａ〜ｃなどのタブに分割してもよい。靴底形状部分１０６およびリム１０８は、射出成形などによって一体形成されてもよく、または一緒に取り付けられた２つの分離部分であってもよい。リム１０８は靴底形状部分１０６を含む円周壁として形成してもよい。リム１０８は、とりわけ足に従来の靴のウェルトにある程度類似した横方向の支持を提供することが意図される。しかし、多くの従来の靴とは対照的に、リム１０８は有利なことに、足の一部を上部から覆う革紐または紐などの実質的な構造の必要なしに、足を垂直に固定するように追加的に構成される。これは、実証のために図１に丸で囲まれて示された、代表的な足の固定領域１１０ａなどの１つまたは複数の足の固定領域の恩恵によって達成されてもよい。足の固定領域１１０ａは、基本的にタブ１１２ａの内方突出領域であり、リム１０８は、少なくともその高さの一部を横切ってタブ１１２ａ〜ｃなどの複数のタブに分割されてもよい。タブ１１２ａ〜ｃなどのそれらの関連したタブの下部領域に対して内方に突出する、１１０ａ〜ｃなどの１つまたは複数の足の固定領域を有することにより、足の側面は、タブのこれらの下部領域にぴたりと嵌合してもよく、同時に足の固定領域の内方突出部を使用して上部から固定されてもよい。靴１００などの靴の足の固定領域は、外周の少なくとも５０％、７０％または９０％などの、靴の外周の実質的な一部に沿って任意に延在する。固定の程度は、通常、足の固定領域の内方突出量に対する、これらの足の固定領域によって占められた外周部の因数である。概してこれらの領域がより多く突出するほど、必要とされる領域は少なく、逆も同様である。有利なことに、この足の固定領域は、一部の実施形態によれば、（この靴を基本的に「上部のない」ものにする程度に）最小限に内方に突出するのみであり、したがって上に論じたように、靴の外周の実質的な一部に沿って延在する。
【００３１】
一部の実施形態では、１つまたは複数の足の固定領域１１０ａ〜ｃとタブ１１２ａ〜ｃの足の固定領域に関連した下部との間に垂直軸の差が存在する。より良好に示すために、図９の断面は、足の固定領域１１２ｃの最内点１１４およびタブ１１２ｃの下部領域の最外点（単にタブの最外点と呼ばれることがある）１１６の２点を示す。垂直軸の差Ｄは、その上に最内点１１４が存在する垂直軸１１４ａの間、およびその上に最外点１１６が存在する垂直軸１１６ａの間に記される。Ｄは、足の骨格に適合するように様々な測定値をリム１０８の様々な外周領域で有してもよい。これは、その着用者に靴１００の快適性を高め、かつ足への靴の固定も高め得る。概して、足の接合部から脚までさらに離れた、その背面などの足の正面部分は、足の正面部分が実質的に側弯を有するので、より大きいＤを使用する固定を必要とすることがある。一方、踵骨の周囲などの足の後部は、概してより小さいＤを使用する固定を必要とすることがあるが、しかし一部の人は、踵骨を包囲する部分に実質的に側弯がないことがあり、その結果、Ｄは非常に小さいかまたはゼロであることさえある。さらに、一部の実施形態では、リムの一部の領域は、足の側部の自然な湾曲に整合するために、他より高く延びてもよい。
【００３２】
一部の実施形態では、Ｄは、上に論じたように足部分に依存して約０．１〜３センチメートルであってもよい。一部の実施形態では、Ｄは、例えば足部分および／または靴のサイズなどに依存して、約０．１〜２ｃｍ、０．２〜２ｃｍ、０．３〜２ｃｍ、０．４〜２ｃｍ、０．５〜２ｃｍ、０．６〜２ｃｍ、０．７〜２ｃｍ、０．８〜２ｃｍ、０．９〜２ｃｍ、１〜２ｃｍ、１．１〜２ｃｍ、１．２〜２ｃｍ、１．３〜２ｃｍ、１．４〜２ｃｍ、１．５〜２ｃｍ、１．６〜２ｃｍ、１．７〜２ｃｍ、１．８〜２ｃｍまたは１．９〜２ｃｍであってもよい。さらなる実施形態では、Ｄは上述の測定値を超えてもよい。
【００３３】
リム１０８のタブ１１２ａ〜ｃなどのタブへの分割は任意である。タブ１１２ａ〜ｃは、構造的にリム１０８を意図的に弱めてもよいので、リム１０８は、靴１００を着用したときに足により好都合に外方に押されてもよい。概してリム、内底および／または中底により硬い材料を使用することは、より多くのタブを必要とすることがある一方で、材料の弾性は自然にリムが足を受領するように広がることができるのに充分であり得るので、より多くの弾性材料を使用する際はほとんどまたは全くタブを必要としないことがある。本実施形態では、Ｄおよび材料の剛性／弾性は、最小であることが望ましい靴１００の上部構造のサイズと、足を充分に固定するためのこのような構造の能力との間に機能的に有益なトレードオフを提供するために、注意深く選択され相互に関連付けられた。
【００３４】
中底１０４は、内底１０２に外部から接着剤および／または溶融などによって取り付けられてもよく、その２つの間の接合部分は、それらの領域の実質的な一部またはその全体さえにも沿って同じ（または同様の）湾曲および形状に従ってもよい。それゆえ、内底１０２の上の検討は、中底１０４に変更すべきところは変更して適用する。中底１０４の同様の形状の要素は、それらのそれぞれの要素の同一用語を内底１０２に使用することを指すものとすることが意図される。
【００３５】
他の実施形態（図示せず）では、内底および中底の機能を、上に論じたように両方の目的を果たす単一層を使用して具体化されてもよい。図の例示的実施形態では、内底と中底を足した構造を、内底１０２の快適な特徴と中底１０４のより技術的な機能特徴を組み合わせるために採用してもよい。
【００３６】
中底１０４の構造は、その一部において内底１０２の構造から逸脱してもよい。内底１０２と中底１０４との違いの１つは、例えば異なる材料から製造することであってもよい。着用者の足に接触することになる内底１０２は、快適な、柔らかいかつ／または抗菌性材料（複数可）から作成されてもよい一方で、中底１０４は、より硬い材料（複数可）で作成されてもよい。例として、内底１０２は、少なくとも一部がシリコーン、発泡ポリエチレン、別のポリマー材料、非ポリマー材料もしくはそれらのあらゆる組合せの１つまたは複数から作成されてもよい。内底１０２またはその一部の厚さは、一部の実施形態によれば、０．２ｃｍ〜１．５ｃｍの範囲内でもよい。別の実施形態では、内底１０２またはその一部の厚さは１．５ｃｍより高くてもよい。
【００３７】
中底１０４は、例えば少なくとも一部がアクリロニトリル・ブタジエン・スチレン（ＡＢＳ）、別のポリマー材料、非ポリマー材料もしくはそれらのあらゆる組合せの１つまたは複数から作成されてもよい。中底１０４またはその一部の厚さは、一部の実施形態によれば、０．２ｃｍ〜１．５ｃｍの範囲内でもよい。別の実施形態では、中底１０４またはその一部の厚さは１．５ｃｍより高くてもよい。
【００３８】
さらなる例では、内底１０２および中底１０４は、それらのリムの上部領域の構成が異なってもよい。図９の断面図を参照すると、内底１０２のタブ１１０ｃ（および任意には他のタブ）は、上部領域１１８ｃを足の固定領域１１２ｃの上に含んでもよい。上部領域１１８ｃは、最内点１１４と縁部１１８との間に延在し、縁部は最内点１１４に対して外方に配置される。リム１０８は、基本的に最内点１１４の上でより広くなる。この広がりによって足が靴１００の中に容易に入ることができる。足が上部領域１１８ｃに接触し引き続き押し下げられる際に、タブ１１２ｃは外方に押される。任意には、縁部１１８は最外点１１６に正確にまたはほぼ垂直に整合される。最外点１１６の場所は足幅を収容するように設定されるので、縁部１１８は、足を受領するのに充分に広いために、さらに外方ではないまでも、少なくとも最外点と同じ垂直軸上に配置されなければならない。
【００３９】
さらに別の例は、内底１０２のリム１０８のタブへの分割は、必ずしも中底１０４の同様の分割に対応しない。例えば、内底１０２の２つ以上の隣接したタブは、中底１０４の単一タブを超えて延在してもよく、または逆でもよい。すなわちタブの分割を使用して靴１００の構造弱体化を、靴の層の一部のみ、およびいくつかの領域（複数可）のみに実行してもよい。
【００４０】
中底１０４については、その上部領域１２０ｃは、一部の実施形態では靴１００を着用する際に足と接触する必要はない。したがって、上部領域１２０ｃは、内底１０２の上部領域１１８ｃを単に担持するような方法で構築されてもよい。上部領域１２０ｃは、例えば、上部領域１１８ｃを外側から補強する最外屈曲部として構築されてもよい。
【００４１】
内底１０２の靴底形状部１０６および中底１０４の靴底形状部１０６は、足底面の自然な湾曲に整合するために、その様々な部分を横切る様々な厚さを有してもよい。例えば、より高い厚さを足のアーチの真下に提供してもよく、より低い厚さを踵骨および前足部の真下に配置してもよい。
【００４２】
靴１００の正面部は概して１２２で示され、任意には足の固定領域がない。その代わりに、正面部１２２は、爪先またはその一部を覆う爪先の保護部として形状化されてもよい。正面部１２２は、任意には内底１０２の延長部から作成される。爪先は足の他の部分と反対に可撓性であるので、靴の正面の足の固定領域は、爪先が容易に足の固定領域から逃れる可能性があるので、通常は有益ではない。したがって、爪先の保護部は、正面部１２２によって提供されてもよく、または他の実施形態（図示せず）では、靴の正面部は全体を覆うような被覆がなくてもよい。被覆が存在する場合であっても、靴が摩耗したときに被覆と爪先との間に垂直の隙間が存在するように、被覆を構築し位置付けてもよい、すなわち被覆は足を適所に固定する働きをしなくてもよい。
【００４３】
内底１０２と中底１０４とのさらなる違いは、例えば、内底のタブ１１２ａ〜ｃからさらに下がった中底のタブの延長部であってもよい。これは図８に最良に示されており、図８は底部から見た靴１００を示す。この表示は、中底１０４が実際に、要素１２４〜１３６などの複数の個別のＵ字形の要素で構成される一部の実施形態に関連付けられ、Ｕ字形の壁は中底の正立外周リムであり、Ｕ字形の底面は中底の靴底形状部である。任意には、要素１２４〜１３６などの、中底１０４のＵ字形の要素の少なくとも一部の少なくとも底面は、分離され、要素間に形成された空間が歩行時に足の力学に整合するような場所で内底１０２に取り付けられる。これは多くの従来の靴とは対照的に、靴底は最小の可撓性のみであり、通常、靴底の領域に沿って同程度の可撓性を有する。図に示されたように要素１２４〜１３６の少なくとも一部の底面が分離しているとき、一般に靴１００はその着用者に素足の歩行に近い感触を与える。足の様々な部分の自然な動的運動は、分離に起因して最小の影響のみを受ける。図８に示された要素１２４〜１３６の特定の形状および分離は、実験的に試験され、足の様々な部分の動的運動に対応して検証された。しかし、これは本考案の多くの実施形態の１つに過ぎず、要素の他の形状および分離が異なる実施形態の構成内に意図される。Ｕ字形の要素の分離とは対照的に、他の実施形態（図示せず）では、その中底または一部を一体形成してもよい。
【００４４】
これも任意な層である外底１０６は、要素１２４〜１３６のそれぞれに外側に取り付けられた片１３８〜１５０などの片を含んでもよい。外底１０６は、外底が長期使用に耐えられる、高い耐久性材料から作成されてもよい。適切な材料の一例は、高密度のポリウレタンであるが、他の材料も同様に可能である。他の実施形態（図示せず）では、靴に外底がなくてもよく、中底は、内底を担持し、かつ地面との接触に耐えるいずれに対しても適切な材料（複数可）から作成されてもよい。
【００４５】
本出願の明細書および実用新案登録請求の範囲において、それぞれの用語「ｃｏｍｐｒｉｓｅ（備える）」「ｉｎｃｌｕｄｅ（含む）」および「ｈａｖｅ（有する）」ならびにそれらの形は、必ずしも用語が関連し得る一覧内の部材に限定されない。加えて、本出願と参照により組み込まれたあらゆる文書との間に矛盾が存在する場合、本出願が統制することを本明細書では意図される。
【符号の説明】
【００４６】
１００  靴
１０２  内底
１０４  中底
１０６  外底
１０８  正立外周リム
１１０ａ〜ｃ  足の固定領域
１１２ａ〜ｃ  タブ
【図１】
0003196278.tif 000003
【図２】
0003196278.tif 000004
【図３】
0003196278.tif 000005
【図４】
0003196278.tif 000006
【図５】
0003196278.tif 000007
【図６】
0003196278.tif 000008
【図７】
0003196278.tif 000009
【図８】
0003196278.tif 000010
【図９】
0003196278.tif 000011
【図１０】
0003196278.tif 000012
【手続補正書】
【提出日】平成26年12月22日(2014.12.22)
【手続補正１】
【補正対象書類名】実用新案登録請求の範囲
【補正対象項目名】全文
【補正方法】変更
【補正の内容】
【実用新案登録請求の範囲】
【請求項１】
正立外周リムの外周の少なくとも一部に沿って、１つまたは複数の足の固定領域を有する前記リムによって画定される凹型本体を備える靴であって、
前記１つまたは複数の足の固定領域は、内方に突出しており、その結果、前記靴が摩耗したときに足を前記凹型本体内に固定し、
前記１つまたは複数の足の固定領域は、前記１つまたは複数の足の固定領域が前記足を受領するために外方に押されることが可能な弾性を有する、靴。
【請求項２】
内方突出部は、前記リムの最内領域と最外領域との間に約０．１〜２センチメートルの垂直軸の差を有する、前記１つまたは複数の足の固定領域を備える、請求項１に記載の靴。
【請求項３】
前記１つまたは複数の足の固定領域は、前記リムの前記外周の少なくとも５０％に沿って延在する、請求項２に記載の靴。
【請求項４】
前記１つまたは複数の足の固定領域は、前記リムの前記外周の少なくとも７０％に沿って延在する、請求項３に記載の靴。
【請求項５】
前記１つまたは複数の足の固定領域は、前記リムの前記外周の少なくとも９０％に沿って延在する、請求項４に記載の靴。
【請求項６】
前記凹型本体は単一片の材料からなる、請求項１に記載の靴。
【請求項７】
前記凹型本体は、
内底として働く第１の層と、
前記第１の層の外表面上に配置される第２の層と
を備える、請求項１に記載の靴。
【請求項８】
前記第２の層は外底として働く、請求項７に記載の靴。
【請求項９】
前記第２の層は中底として働き、前記靴は、外底として働き前記第２の層の外表面上に配置される第３の層をさらに備える、請求項７に記載の靴。
【請求項１０】
前記第１の層は少なくとも一部がシリコーンで作成される、請求項７〜９のいずれか１項に記載の靴。
【請求項１１】
前記第１の層は、少なくとも一部が発泡ポリエチレンで作成される、請求項７〜９のいずれか１項に記載の靴。
【請求項１２】
前記第２の層は、少なくとも一部がアクリロニトリル・ブタジエン・スチレン（ＡＢＳ）で作成される、請求項７、および９〜１１のいずれか１項に記載の靴。
【請求項１３】
前記第３の層は、少なくとも一部がシリコーンで作成される、請求項９〜１２のいずれか１項に記載の靴。
【請求項１４】
前記第３の層は、少なくとも一部が高密度ポリウレタンで作成される、請求項９〜１２のいずれか１項に記載の靴。
【請求項１５】
靴底形状表面の外周の少なくとも５０％に沿って、１つまたは複数の弾性ポリマーの足の固定領域を有する前記靴底形状表面を備える靴であって、
前記１つまたは複数の足の固定領域のそれぞれは内方に突出しており、その結果、前記１つまたは複数の足の固定領域の前記それぞれの最内領域と最外領域との間に、約０．１〜２センチメートルの垂直軸の差が存在し、
前記１つまたは複数の足の固定領域は、前記足を受領するときに外方に押されるように構成される、靴。
【請求項１６】
前記１つまたは複数の足の固定領域は、前記靴底形状表面の前記外周の少なくとも７０％に沿って延在する、請求項１５に記載の靴。
【請求項１７】
前記１つまたは複数の足の固定領域は、前記靴底形状表面の前記外周の少なくとも９０％に沿って延在する、請求項１６に記載の靴。
【請求項１８】
前記靴底形状表面および前記１つまたは複数の足の固定領域は、一体形成され、単一片の材料からなる、請求項１５に記載の靴。
【請求項１９】
前記靴底形状表面および前記１つまたは複数の足の固定領域のそれぞれは、シリコーン、発泡ポリエチレン、アクリロニトリル・ブタジエン・スチレン（ＡＢＳ）および高密度ポリウレタンからなる群から選択された、少なくとも１つのポリマー材料から作成される、請求項１５〜１８のいずれか１項に記載の靴。